(57)【特許請求の範囲】
【請求項１】
野地のルーフィング上に載置する瓦であって、瓦本体の長さ方向に貫設されると共に、幅方向で平行に多数設けられる中空部を有し、瓦本体の両側端部に連結溝を形成し、瓦本体の尻側に釘穴を設けると共に、瓦本体の裏面の針穴の周囲に台座部を突設した平板瓦において、
瓦本体の頭側を偏平状にして中空部の開口面積を小さくし、且つ下方へ僅かに垂れ下がるように曲成したことを特徴とする平板瓦。
【請求項２】
葺設時に上方の瓦本体の頭側の端部下縁が当接する係合溝を瓦本体の尻側に設けたことを特徴とする請求項１の平板瓦。
【発明の詳細な説明】
【０００１】
【発明の属する技術分野】
本発明は、屋根地のルーフィング上に直接載置して葺設する平板瓦に関するものである。
【０００２】
【従来の技術】
従来、粘土瓦の葺設工法としては、種々の工法が行われているが、近年は防災などの関係により乾式工法が主流と成っている。
【０００３】
そして、この乾式工法は、図１２、１３に示すように屋根の野地ａのルーフィングＳに、地割りに応じて引掛桟ｂ（横桟）に釘を打ち込んで、引掛桟ｂとルーフィングＳとの接合面をシールさせるようにして固定して設置し、かかる引掛桟ｂに対し、瓦本体ｃの裏面における尻側端部に引掛用の突起ｄが形成された粘土瓦ｅを用い、前記突起ｄを引掛桟ｂに引っ掛けて、粘土瓦ｅの上下方向のズレを防止するように葺設するものである。
【０００４】
ところが、屋根の野地ａのルーフィングＳに地割りに応じて引掛桟ｂを固定する設置作業は非常に面倒である欠点を有していた。
【０００５】
【発明が解決しようとする課題】
本発明は、引掛桟の設置作業を不要と成して葺設工法の簡略化を図ると共に、上下方向の位置ズレを防止する様にした平板瓦を提供せんとするものである。
【０００６】
【課題を解決するための手段】
本発明は、上記従来技術に基づく、引掛桟の設置作業等の課題に鑑み、野地に固定するための釘、ビス等の固定部材が通る釘穴の周囲に台座部を設け、固定部材を打ち込むことにより、台座部を野地のルーフィング上に押圧接合させ、かかる押圧接合個所をシールした状態で葺設させると共に、上下方向のズレを規制するための係合溝を設けることを要旨とする平板瓦を提供して上記課題を解決せんとしたものである。
【０００７】
平板瓦は、野地のルーフィング上に載置する瓦であって、瓦本体の長さ方向に貫設されると共に、幅方向で平行に多数設けられる中空部を有し、瓦本体の両側端部に連結溝を形成している。
【０００８】
瓦本体の尻側に釘穴を設けると共に、瓦本体の裏面の針穴の周囲に台座部を突設し、また瓦本体の頭側を偏平状にして中空部の開口面積を小さくし、且つ下方へ僅かに垂れ下がるように曲成すると共に、葺設時に上方の瓦本体の頭側の端部下縁が当接する係合溝を瓦本体の尻側に設けている。
【０００９】
【発明の実施の形態】
以下本発明の実施の形態を図面に基づいて説明すると、
１は本発明に係る平板瓦であり、この平板瓦１は正方形若しくは矩形状の瓦本体２から成り、瓦本体２は尻側３から頭側４への長さ方向に貫設されると共に、幅方向で平行に多数設けられる中空部５、５ａ…を有し、瓦本体２の両側端部には連結溝６、６ａを形成している。
【００１０】
なお、中空部５、５ａ…の形態としては、正方形、矩形および楕円、円形状と成している。
【００１１】
また、瓦本体２の頭側４は、下方の瓦本体２の尻側３上に重ねて葺設した際に、毛細管現象による雨水の浸入を防止するために、隙間を設けるようにすると共に、中空部５、5a…内への虫、ゴミ等の侵入を防止するために、中空部５、5a…の厚みを薄くするように圧潰し、且つ下方へ僅かに垂れ下がるように曲成している。
【００１２】
なお、貫設した中空部５、５ａ…は、通風機能は維持されるように成っている。
【００１３】
また、瓦本体２の尻側３の内方にあっては、かかる尻側３の上に重なる上方の瓦本体２の頭側４の端部下縁が当接係合する係合溝７を形成している。
【００１４】
なお、係合溝７における頭側４の側縁部７ａは、表面より突出するように盛り上がり形成しても良く、この場合には平板瓦１を上下に積み重ねた際に、側縁部７ａが嵌まり込む収納溝８を瓦本体２の裏面に形成する。
【００１５】
また、瓦本体２の尻側３における重ね代Ｘ内には、雨水の浸入を防止すための水返し溝９、９ａ…を形成している。
【００１６】
１０、１０ａ  は釘穴であり、この釘穴１０、１０ａ  は瓦本体２の尻側３の端縁の内方に設けるものにして、中空部５、５ａ…が形成されることによって、残ったリブ１１、１１ａ  …を貫通させて形成すると共に、表面側の釘穴１０、１０ａ  の周囲は、釘、ビス等の固定部材Ａの頭部が表面より突出しないように所定深さの座ぐり部１２、１２ａ  を設けている。
【００１７】
１３、１３ａ  は台座部であり、この台座部１３、１３ａ  は瓦本体２の裏面における釘穴１０、１０ａ  の周囲を環状に突出させ、その下面を平坦状に形成して座面１４、１４ａ  と成している。
【００１８】
次に本発明に係る平板瓦の作用について説明すると、
平板瓦１の葺設状態としては、筋葺、千鳥葺をするものにして、桁行方向には平板瓦１の両側を近接させ、隣接する連結溝６、６ａ内に、シール機能を具有させる連結具１５を嵌合させて葺設するのである。
【００１９】
ここで、連結具１５としては、図９に示すように、平板瓦１の長さに対応した長さと、所定の幅を有する板状の基体１６の両側部に抜止め部１７を設け、この抜止め部１７は、夫々に内側に傾斜する板状の抜止め突起１８を基体１６の表裏面の全長にわたって一体的に並設している。
【００２０】
また、連結具１５の材質は、例えば、合成樹脂、エラストーマー等のように、抜止め突起１８に弾性復元力があり、その端縁部が対応する連結溝６、６ａの上下面を押圧してシールするような素材で形成される。
【００２１】
また、連結具１５は板状の抜止め突起１８を基体１６の両側部の表裏面に並設しているが、かかる形状に限定されず、他の実施の形態としては、図１０、１１に示すように、内方湾曲板状に形成したり、畝状に形成しても良い。
【００２２】
また、雨水の流れ方向にあっては、下方の平板瓦１における尻側３の係合溝７に上方の平板瓦１における頭側４の端部下縁を当接させ、上下方向のズレを防止する。
【００２３】
また、葺設した際の重ね代Ｘ内には、毛細管現象を発生させない隙間が形成されると共に、水返し溝９、９ａ…が形成されていることにより、下方の平板瓦１の尻側３を越えて浸入する雨水を確実に防止する。
【００２４】
そして、順次葺設していく際には、釘穴１０、１０ａ  に固定部材Ａを差し込んで、野地板Ｂに打ち込むことにより、平板瓦１の裏面の台座部１３、１３ａ  の座面１４、１４ａ  が野地を形成するルーフィングＳの表面に面接触して押圧接合されることによりシールされる。
【００２５】
【発明の効果】
要するに本発明は、野地のルーフィングＳ上に載置する瓦であって、瓦本体２の長さ方向に貫設されると共に、幅方向で平行に多数設けられる中空部５、５ａ…を有し、瓦本体２の両側端部に連結溝６、６ａを形成する平板瓦において、瓦本体２の尻側３に釘穴１０、１０ａ  を設けると共に、瓦本体２の裏面の針穴１０、１０ａ  の周囲に台座部１３、１３ａ  を突設したので、野地のルーフィングＳ上に載置する平板瓦１は、釘穴１０、１０ａ  を通して野地板Ｂに打ち込みする固定部材Ａで固定できるため、釘穴１０、１０ａ  の周囲に設けられる台座部１３、１３ａ  が確実にルーフィングＳ上に押圧接合されることにより、固定部材Ａが貫通したルーフィングＳの周囲の押圧接合個所は、台座部１３、１３ａ  によってシールされて雨水の浸入を防止でき、これによって従来のようなルーフィングＳ上に引掛桟ｂを設置する作業が不要と成り、葺設工法の簡略化を図ることができる。
【００２６】
また、瓦本体２の頭側４を偏平状にして中空部の開口面積を小さくし、且つ下方へ僅かに垂れ下がるように曲成したので、葺設した際の重ね代Ｘ内には、上下の平板瓦１間に隙間が形成されるため、毛細管現象による雨水の浸入が防止できると共に、頭側４は偏平状に形成するため、中空部５、5a…の開口面積が小さくなり、ゴミ、虫等の侵入が防止できると共に、通気状態も維持することができ、又葺設時に頭側４の端部下縁が当接する係合溝７を瓦本体２の尻側３に設けたので、葺設状態では上方の瓦本体２の頭側４の端部下縁が下方の瓦本体２の係合溝７に当接して係合するため、上下方向のズレを確実に防止でき、よって従来のような引掛桟ｂが不要と成り、葺設工法の簡略化を図ることができる等その実用的効果甚だ大なるものである。
【図面の簡単な説明】
【図１】本発明に係る平板瓦の表面斜視図である。
【図２】同上平板瓦の裏面斜視図である。
【図３】図１のＡーＡ断面図である。
【図４】同上平板瓦の側面図である。
【図５】同上平板瓦の葺設状態を示す平面図である。
【図６】図５のＢーＢ断面図である。
【図７】図５のＣーＣ断面図である。
【図８】同上平板瓦の葺設状態における尻側の拡大図である。
【図９】同上平板瓦の連結具に表面斜視図である。
【図１０】同上連結具の他の実施の形態を示す図である。
【図１１】同上連結具の他の実施の形態を示す図である。
【図１２】従来の平板瓦の葺設状態を示す要部平面図である。
【図１３】同上平板瓦の葺設状態を示す要部断面図である。
【符号の説明】
２        瓦本体
３        尻側
４        頭側
７        係合溝
１０、１０ａ    釘穴
１３、１３ａ    台座部
【図１】
0003554643.tif 000002
【図２】
0003554643.tif 000003
【図３】
0003554643.tif 000004
【図４】
0003554643.tif 000005
【図５】
0003554643.tif 000006
【図６】
0003554643.tif 000007
【図７】
0003554643.tif 000008
【図８】
0003554643.tif 000009
【図９】
0003554643.tif 000010
【図１０】
0003554643.tif 000011
【図１１】
0003554643.tif 000012
【図１２】
0003554643.tif 000013
【図１３】
0003554643.tif 000014